(57)【要約】【課題】  蛍光管でなる線状光源をランプホルダーに保持させた状態でのびびり音の発生を抑制する。線状光源をランプホルダーに保持させる工程で線状光源が折損したり破損したりすることを抑制する。【解決手段】  ランプホルダー２０が、ベース部３０と、円弧形状のアーム部４０と、接触部５０と、開口部４１とを有する。アーム部３０が幅狭の首部を介してベース部３０に連設されている。接触部５０を、線状光源１に面接触ないし線接触する突出部５１と、線状光源１に点接触する一対の突起５３とによって形成する。突起５３の押付け方向Ｃが線状光源１の中心に向かう方向に定められている。突起５３の頂部輪郭線５４は円弧形状であり、突出部５１の頂部輪郭線５２は線状光源１の外周面の曲率半径と同一の曲率半径を有する。【選択図】        図１
2011060582.tif 000002
【特許請求の範囲】
【請求項１】
蛍光管でなる線状光源を液晶セルの背部で支持する板片状のランプホルダーが、液晶モジュールの板状部材に固定されるベース部と、このベース部から延び出た弾性を有するアーム部と、このアーム部に備わっていて上記線状光源の外周面の３箇所に接触することにより当該線状光源を保持する接触部と、上記アーム部に設けられて上記接触部による保持位置に上記線状光源を挿入するための開口部とを有してなる液晶モジュールのバックライト装置において、
上記アーム部が上記開口部を形成する欠円部を備えた円弧形状に形成されていると共に、このアーム部がその周方向中央部で首部を介して上記ベース部に連設され、
上記接触部が、上記アーム部の周方向中央部でその内周側に設けられて上記開口部を通して押し込まれた上記線状光源に面接触ないし線接触してその線状光源を受け止める突出部と、その突出部の形成箇所から互いに反対方向に同一角度だけ離れた上記アーム部の端部のそれぞれに各別に設けられて、上記保持位置に挿入された上記線状光源に当該アーム部の弾力性により点接触状態で弾接してその線状光源を上記突出部に押し付ける一対の突起とによって形成され、
上記線状光源に対する一対の上記突起の押付け方向が当該線状光源の中心に向かう方向に定められていることを特徴とする液晶モジュールのバックライト装置。
【請求項２】
上記線状光源の外周面には３箇所の上記接触部だけが接触していて、その他の箇所では線状光源の外周面とアーム部との間に隙間が形成されている請求項１に記載した液晶モジュールのバクライト装置。
【請求項３】
一対の上記突起のそれぞれの頂部輪郭線が円弧形状に形成されていて、それらの突起の上記頂部が上記線状光源に接触していると共に、上記突出部の頂部輪郭線が上記線状光源の外周面の曲率半径と同一の曲率半径を有している請求項１又は請求項２に記載した液晶モジュールのバックライト装置。
【請求項４】
上記突出部からの上記突起の離間角度が１３５度である請求項３に記載した液晶モジュールのバックライト装置。
【請求項５】
上記開口部の開口幅を規定している上記アーム部の一端面と他端面との相互間隔が、当該アーム部の径方向外側に向かって漸増していると共に、一方側の上記突起の頂部輪郭線が上記一端面の輪郭線に滑らかに連続し、かつ、他方側の上記突起の頂部輪郭線が上記他端面の輪郭線に滑らかに連続している請求項２ないし請求項４に記載した液晶モジュールのバックライト装置。
【請求項６】
上記首部の幅寸法を上記アーム部の外周直径寸法よりも短くすることによってアーム部の長さを延長してある請求項１ないし請求項５のいずれか１項に記載した液晶モジュールのバックライト装置。
【発明の詳細な説明】
【技術分野】
【０００１】
本発明は、液晶モジュールのバックライト装置、特に、板片状のランプホルダーによる線状光源の保持部分の構造に工夫が講じられている液晶モジュールのバックライト装置に関する。
【背景技術】
【０００２】
図４は一般的な液晶型テレビジョン受像機に採用されている液晶モジュールのバックライト装置を分解状態で示した概略構成図である。液晶モジュールとは、液晶セル（不図示）や液晶セルの背部に配置されたバックライト装置を備えるモジュールのことである。
【０００３】
同図において、１は直管型又はＵ次管型などの蛍光管でなる線状光源であり、細い円管によってその外郭が形成されていて、その端部電極が給電用のソケット２に差し込まれている。この線状光源１の背部に、表面が光反射面とされている光反射部材３が配置されていて、また、光反射部材３と液晶セルとの間には、光拡散板などの必要な種類及び枚数の光学シート類４が配置されている。そして、この光反射部材３の反射面で反射した線状光源１の光が、光学シート類４を通過して、図示していない液晶セルをその背部から照射することにより、液晶セルの画像表示面の輝度バランスといった画質品位に影響を及ぼす因子が制御されるようになっている。図１において、５は樹脂成形体や板金などに形成された枠フレームであり、この枠フレーム５は上記した線状光源１のほか、光反射部材３や光学シート類４を保持する機能を有している。
【０００４】
上記構成のバックライト装置において、蛍光管が線状光源１として使われている場合には、その線状光源１の外郭を形成している円管が衝撃で折損したり破損したりしやすいという実情が存在している。その一方で、線状光源１を液晶セルの背部の定位置に位置決めするための手段には、液晶モジュールに含まれている板状部材、たとえば上記した光反射部材３に固定されたランプホルダー（図４において不図示）が採用されている。
【０００５】
この種のランプホルダーのうち、蛍光管でなる線状光源１を円弧状のアーム部で抱き込んで保持する構成を備えたものが知られている（たとえば、特許文献１、特許文献２、特許文献３参照）。
【０００６】
図５〜図７には上掲の特許文献１にランプクリップとして示されている数種のランプホルダーの形状ないし構造を示してある。
【０００７】
図５のランプホルダー６は、上記アーム部としての機能を有するＣ字形状の収納部７に、蛍光管としての線状光源１の装着時に利用される開口部８が設けられ、かつ、収納部７のベース側底部に先尖り形状の突出部９が設けられている。
【０００８】
図６のランプホルダー６は、図５を参照して説明した上記構成に加えて、収納部７に収納した線状光源１を、突出部９との間で挟持させるための挟持部１０が収納部７に設けられていると共に、収納部７の端部を外拡がり方向に延ばして線状光源１の挿入動作をガイドさせるようにしてある。
【０００９】
図７のランプホルダー６は、上記アーム部としての機能を有するＣ字形状の収納部７に、蛍光管としての線状光源１の装着時に利用される開口部８が設けられていると共に、収納部７の端部を外拡がり方向に延ばして線状光源１の挿入動作をガイドさせるように構成し、しかも、収納部７の３箇所に突出部１１を具備させてそれらの突出部１１によって線状光源１を挟持させている。
【００１０】
なお、図５〜図７において、１３はベース部であり、上記した収納部７はその周方向中央部がこのベース部１３に結合されている。
【００１１】
さらに、上掲の特許文献２には、アーム部としての円弧状の保持部によって細い蛍光管でなる線状光源を挟持させる構成が開示されている。また、特許文献３には、相隣接して平行に配備されている細い蛍光管でなる線状光源をホルダーによって連結すると共に、そのホルダーの作用で線状光源に押し付け力を付与しておくという構成が開示されている。
【００１２】
一方、図８に従来例としてのランプホルダー２０の従来例の形状ないし構造を正面図で示している。このランプホルダー２０は、外周直径が３ｍｍ程度の極細の蛍光管でなる線状光源１を使用対象としていて、液晶モジュールに含まれている板状部材、たとえば図４に示した光反射部材３に固定されている。
【００１３】
このランプホルダー２０では、図４に示した光反射部材３に固定されているベース部（不図示）に連設された幅広の板状脚部２１に、使用対象としての線状光源１の外周直径と同一寸法の内周直径を有する真円形状の凹入部２２が形成されている。そして、相対向して上記凹入部２２を形作っている一対の挟持片部２３，２３に弾性を付与している。また、それらの挟持片部２３，２３のそれぞれの先端面が、外拡がりに傾斜したガイド面２４，２４として形成され、かつ、それらのガイド面２４，２４の相互間空間が線状光源１を挿入するための開口部２５とされている。このランプホルダー２０は、極細の蛍光管でなる線状光源１を一対の挟持片部２３，２３で抱き込ませるように構成されているため、挟持片部２３，２３による遮光領域をできるだけ少なくして液晶セルでの画像品質の低下を防ぐために、その材料には、厚さ１〜１．５ｍｍ程度の極薄の腰の強い硬質板片状の樹脂成形体が採用されている。
【００１４】
図４に示したランプホルダー２０に上記線状光源１を保持させる工程では、同図に仮想線で例示したように開口部２５に臨ませた線状光源１を、矢印Ａのようにガイド面２４を利用して挟持片部２３，２３を外側へ撓ませながら凹入部２２に押し込んで挿入するという作業が行われる。この工程において、線状光源１は、挟持片部２３，２３を外側へ撓ませながら乗り越えた直後に凹入部２２の内周面に比較的強く衝突するという事態が起こり得る。しかしながら、同図のランプホルダー２０では凹入部２２の内周面に線状光源１が面接触状態ないし線接触状態で衝突して衝撃荷重が分散されるので、ランプホルダー２０が厚さ１〜１．５ｍｍ程度の極薄の腰の強い硬質板片状の樹脂成形体で形成されているとしても、衝突時の衝撃で線状光源１が折損したり破損したりするという事態は起こりにくいということが云える。
【００１５】
その一方で、同図のランプホルダー２０は、凹入部２２の内周面の形状は、真円形状の線状光源１の外周形状に合わせて真円形状に製作されている。しかしながら、凹入部２２に挿入された線状光源１の外周面に凹入部２２の内周面が重なり合った状態では、いずれかの真円形状がいびつに変形するという現象が多々起こり得る。そして、このような現象が生じると、同図に例示したように線状光源１の外周面と凹入部２２の内周面との間に微細な隙間Ｓが形成され、その隙間ががたつきを生じる原因になって所謂びびり音などの異音が発生し、液晶モジュール、ひいては液晶モジュールを用いたテレビジョン受像機といった音響映像機器の品位低下につながることがある。
【先行技術文献】
【特許文献】
【００１６】
【特許文献１】特開２００６−２８６３４１号広報
【特許文献２】特開２００８−２１８０９０号公報
【特許文献３】特開２００８−６５１３１号公報
【発明の概要】
【発明が解決しようとする課題】
【００１７】
そこで、図５や図６に示した先行例に係るランプホルダー６に見られるように、Ｃ字形状のアーム部（収納部７）の周方向中央部の先尖り状の突出部９とそのアーム部の両側の端部との３箇所を線状光源１に接触させることにより、アーム部に線状光源１を保持させることが考えられる。しかしながら、この構成を適用して図８のランプホルダー２０の凹入部２２の周方向中央部に先尖り状の突出部を形成しておくと、ランプホルダー２０に線状光源１を保持させる工程において、挟持片部２３，２３を外側へ撓ませながら乗り越えた直後に線状光源１が先尖り状の硬質樹脂でなる突出部に比較的強く衝突したときなどに、極細の線状光源１が衝突時の衝撃で折損したり破損したりするおそれが大きくなるという問題がある。
【００１８】
これに対し、図７に示した先行例に係るランプホルダー６に見られるように、アーム部（収納部７）の周方向中央部に、頂部輪郭線が円弧形状に形成された突出部１１を設けておくと、ランプホルダー２０に線状光源１を保持させる工程で線状光源１が突出部９に比較的強く衝突したとしても、衝突時の衝撃荷重が線状光源１に面接触ないし線接触する突出部の頂部で分散されて折損したり破損したりするおそれが少なくなる。しかしながら、図７のランプホルダー６では、頂部輪郭線が円弧形状に形成された突出部１１が、アーム部７に収納された線状光源の９０度置きの３箇所に接触するようになっているために、この構成を図８のランプホルダー２０にそのまま適用すると、上記したようないびつな変形がアーム部７又は線状光源１に生じて３箇所の突出部と線状光源１との間に隙間が生じ、びびり音などの異音が発生するおそれが大きいという問題がある。同様の問題は、図６の先行例に係るランプホルダー６に見られる挟持部１０を、図８のランプホルダー２０に適用した場合にも起こり得る。
【００１９】
以上の事情を踏まえた上で、本願発明者は鋭意調査研究を重ねたところ、ランプホルダーによる線状光源の保持箇所で発生するびびり音を抑制するためには、ランプホルダーのアーム部の３箇所を線状光源の外周面に点接触状態で接触させることが有利であるものの、そのようにすると、ランプホルダー側の接触箇所の形状によっては、極細の線状光源をランプホルダーに保持させる工程で、線状光源がランプホルダー側の接触箇所に比較的強く衝突したときの衝撃荷重で極細の蛍光管でなる線状光源が折損したり破損したりしやすくなるということを突き止めた。
【００２０】
本発明は、以上の状況の下でなされたものであり、極細の蛍光管でなる線状光源をランプホルダーに保持させたときに、線状光源又はランプホルダーのいずれかがいびつに変形したとしても、その保持箇所でのびびり音の発生を抑制することが可能でありながら、極細の線状光源をランプホルダーに保持させる工程で線状光源がランプホルダー側の接触箇所に比較的強く衝突したとしても、そのときの衝撃荷重で線状光源が折損したり破損したりすることを抑制することのできる液晶モジュールのバックライト装置を提供することを目的としている。
【００２１】
また、本発明は、極細の線状光源をランプホルダーに小さな力で容易に保持させることができるようにして、上記した衝撃荷重を小さく抑えることを可能にし、併せて、ランプホルダーに保持された線状光源がランプホルダーから容易に離脱することのない液晶モジュールのバックライト装置を提供することを目的としている。
【課題を解決するための手段】
【００２２】
本発明に係る液晶モジュールのバックライト装置は、蛍光管でなる線状光源を液晶セルの背部で支持する板片状のランプホルダーが、液晶モジュールの板状部材に固定されるベース部と、このベース部から延び出た弾性を有するアーム部と、このアーム部に備わっていて上記線状光源の外周面の３箇所に接触することにより当該線状光源を保持する接触部と、上記アーム部に設けられて上記接触部による保持位置に上記線状光源を挿入するための開口部とを有してなる。
【００２３】
そして、上記アーム部が上記開口部を形成する欠円部を備えた円弧形状に形成されていると共に、このアーム部がその周方向中央部で首部を介して上記ベース部に連設されている。また、上記接触部が、上記アーム部の周方向中央部でその内周側に設けられて上記開口部を通して押し込まれた上記線状光源に面接触ないし線接触してその線状光源を受け止める突出部と、その突出部の形成箇所から互いに反対方向に同一角度だけ離れた上記アーム部の端部のそれぞれに各別に設けられて、上記保持位置に挿入された上記線状光源に当該アーム部の弾力性により点接触状態で弾接してその線状光源を上記突出部に押し付ける一対の突起とによって形成されている。さらに、上記線状光源に対する一対の上記突起の押付け方向が当該線状光源の中心に向かう方向に定められている。
【００２４】
このように構成された液晶モジュールのバックライト装置によると、極細の蛍光管でなる線状光源をアーム部の開口部を通して押し込んだときにその線状光源が突出部に衝突したとしても、その突出部が線状光源に面接触ないし線接触して線状光源を受け止めるので、衝突時の衝撃荷重が突出部で分散されることになるので、線状光源が折損したり破損したりするおそれが少なくなる。その上、ランプホルダーに保持された線状光源には、上記突出部だけが面接触ないし接触し、他の一対の突起は点接触状態で接触しているので、たとえ線状光源又はランプホルダーのいずれかがいびつに変形したとしても、その保持箇所でのびびり音の発生が抑制されることになる。さらに、アーム部の端部に設けられている一対の突起による線状光源に対する押付け方向が当該線状光源の中心に向かう方向に定められているので、線状光源をランプホルダーに保持させる工程でのアーム部を撓み変形させる力をアーム部を長くして小さく抑えることが可能でありながら、ランプホルダーに保持された線状光源の離脱を確実に阻止させることが可能になる。
【００２５】
本発明において、上記線状光源の外周面には３箇所の上記接触部だけが接触していて、その他の箇所では線状光源の外周面とアーム部との間に隙間が形成されていることが望ましい。この構成であると、線状光源又はランプホルダーのいずれかがいびつに変形したとしても、そのような変形の影響が線状光源に及ばない。そために、保持箇所でのびびり音の発生がいっそう確実に抑制されることになる。
【００２６】
本発明では、一対の上記突起のそれぞれの頂部輪郭線が円弧形状に形成されていて、それらの突起の上記頂部が上記線状光源に接触していると共に、上記突出部の頂部輪郭線が上記線状光源の外周面の曲率半径と同一の曲率半径を有していることが望ましい。この構成は、突出部を線状光源に面接触ないし線接触させ、一対の突起を線状光源に点接触状態で接触させるのに有効である。
【００２７】
本発明では、上記突出部からの上記突起の離間角度が１３５度であることが望ましい。この構成であれば、突出部と一対の突起とによって線状光源がその外周面の当角度おきの３箇所で保持されることになる。その結果、ランプホルダーに保持された線状光源の離脱が確実に防止されるようになる。
【００２８】
本発明では、上記開口部の開口幅を規定している上記アーム部の一端面と他端面との相互間隔が、当該アーム部の径方向外側に向かって漸増していると共に、一方側の上記突起の頂部輪郭線が上記一端面の輪郭線に滑らかに連続し、かつ、他方側の上記突起の頂部輪郭線が上記他端面の輪郭線に滑らかに連続していることが望ましい。この構成であれば、開口部を通して押し込まれる線状光源が、無理なくアーム部の一端面及び他端面や突起を乗り越えるようになる。その結果、線状光源を小さな力で押し込むことができるようになり、そのことが、線状光源と突出部との衝突に伴う衝撃荷重を小さく抑えることに役立つ。
【００２９】
本発明では、上記首部の幅寸法を上記アーム部の外周直径寸法よりも短くすることによってアーム部の長さを延長してあることが望ましい。この構成であれば、アーム部の長さが延長されて長くなるので、開口部を通して線状光源を押し込むときにアーム部が容易に撓むようになり、そのことが、線状光源と突出部との衝突に伴う衝撃荷重を小さく抑えることに役立つ。
【発明の効果】
【００３０】
以上説明したように、本発明によれば、蛍光管でなる線状光源をランプホルダーに保持させたときに、線状光源の外周面の１箇所だけに突出部が面接触ないし線接触し、他の２箇所では突起が点接触するために、それらの接触箇所に隙間が生じることはない。このことにより、線状光源又はランプホルダーのいずれかがいびつに変形したとしても、保持箇所でのびびり音の発生を抑制することが可能である。しかも、線状光源をランプホルダーに保持させる工程で線状光源がランプホルダー側の突出部に衝突したとしても、その衝突は、線状光源が突出部に面接触ないし線接触することによって起こるので、衝突時の衝撃荷重が緩和されて線状光源が折損したり破損したりすることが抑制される。また、線状光源をランプホルダーに小さな力で容易に保持させることができるようにして、上記の衝撃荷重を小さく抑えることが可能になるだけでなく、ランプホルダーに保持された線状光源がランプホルダーから離脱してしまうという事態を確実に防止することも可能になる。
【図面の簡単な説明】
【００３１】
【図１】本発明の実施形態によるランプホルダーの要部の正面図である。
【図２】ランプホルダーの作用などを説明するための説明図である。
【図３】ランプホルダーの作用などを説明するための説明図である。
【図４】液晶モジュールのバックライト装置を分解状態で示した概略構成図である。
【図５】特許文献１によって提案されているランプクリップの形状ないし構造を示した説明図である。
【図６】特許文献１によって提案されているランプクリップの他の形状ないし構造を示した説明図である。
【図７】特許文献１によって提案されているランプクリップのさらに他の形状ないし構造を示した説明図である。
【図８】従来例によるランプホルダーの要部の正面図である。
【発明を実施するための形態】
【００３２】
図１は本発明の実施形態による液晶モジュールのバックライト装置に採用されているランプホルダーの要部の正面図、図２及び図３は上記ランプホルダーの作用などの説明図である。
【００３３】
図１に示したランプホルダー２０は、図４を参照して説明した液晶モジュールのバックライト装置に採用されている。このランプホルダー２０は、ベース部３０と、このベース部３０から延び出た弾性を有するアーム部４０と、このアーム部４０に備わっていて線状光源１の外周面の３箇所に接触することにより当該線状光源１を保持する接触部５０と、アーム部４０に設けられた開口部４１と、を有している。
【００３４】
ベース部３０は、液晶モジュールに含まれている板状部材、たとえば図４に示した光反射部材３に嵌着手段やその他の適宜手段を採用して固定されるのであって、ベース部３０を板状部材としての上記光反射部材３に固定することによって、アーム部４０がその光反射部材３に起立姿勢で取り付けられる。アーム部４０は、上記開口部４１を形成する欠円部を備えた弓形又は円弧形状に形成されていると共に、このアーム部４０がその周方向中央部で幅狭の首部６０を介して上記ベース部３０に連設されている。
【００３５】
接触部５０を３箇所に有するアーム部４０と首部６０とは厚さ１〜１．５ｍｍ程度の極薄に形成されていて、上記したベース部３０と共に腰の強い硬質板片状の樹脂成形体でなる。このようにアーム部４０を極薄の板片によって形成しておくと、アーム部４０による遮光領域が可及的狭くなって液晶セルでの画像品質の低下が防止される。
【００３６】
このランプホルダー２０に保持される線状光源１には、３ｍｍ程度の外周直径を有する円管が外郭となっている極細の蛍光管が採用されている。そして、アーム部４０の欠円部によって形成されている上記開口部４１は、図２に示したように線状光源１の外周直径Ｄよりも短い開口幅Ｗを有している。
【００３７】
アーム部４０の３箇所に備わっている接触部５０は、アーム部４０の周方向中央部でその内周側に設けられている幅広の突出部５１と、その突出部５１の形成箇所から互いに反対方向に同一角度だけ離れた当該アーム部４０の端部のそれぞれに各別に設けられた突起５３，５３とに分かれていて、それぞれの突起５３，５３と上記突出部５１との相互間には凹所５７，５７が形成されている。また、突出部５１と一対の突起５３，５３との相互間の離間角度（突出部及び突起の中央部相互間の離間角度）は９０度よりも大きい角度、具体的には１３５度に定められている。突出部５１及び一対の突起５３，５３のうち、突出部５１は上記開口部４１を通して押し込まれた線状光源１を受け止める作用を発揮するのであって、その頂部輪郭線５２が線状光源１の外周面の曲率半径と同一の曲率半径を有している。これに対し、一対の突起５３のそれぞれは、その頂部輪郭線５４，５４が円弧形状に形成されている。また、図１のように、一対の突起５３，５３のそれぞれの頂部輪郭線５４，５４がアーム部４０の一端面及び他端面の輪郭線４２，４２に滑らかに連続していることに加えて、開口部４１の開口幅Ｗを規定しているアーム部４０の一端面と他端面との相互間隔は、アーム部４０の径方向外側に向かって漸増している。
【００３８】
図２に示したように、首部６０はその幅寸法Ｈがアーム部４０の外周直径寸法よりも短く定められている。これは、首部６０の幅寸法Ｈをアーム部４０の外周直径寸法よりも短くしておくと、当該幅寸法Ｈをアーム部４０の外周直径寸法と同等にした場合に比べ、それだけアーム部４０の有効長が延長されるために、アーム部４０が極薄の腰の硬質樹脂片で形成されていてもそのアーム部４０に適度の拡縮径方向の弾性強さを付与することができるからである。
【００３９】
以上のように構成されたランプホルダー２０に線状光源１を保持させる工程では、図１に仮想線で例示したように開口部４１に臨ませた線状光源１を開口部４１に押し込む作業が行われる。この作業では、アーム部４０の一端面と他端面との相互間隔が当該アーム部４０の径方向外側に向かって漸増していることにより、それらの一端面と他端面とが線状光源１の呼込みガイドとして作用する。そのため、矢印Ａのように開口部４１に線状光源１を押し込むと、その線状光源１がアーム部４０を拡径方向に撓ませながらアーム部４０の一端面と他端面との間に分け入った後、一対の突起５３，５３を乗り越えてアーム部４０の内側に挿入される。このときに線状光源１が突出部５１に衝突するけれども、突出部５１の頂部輪郭線５２が線状光源１の外周面の曲率半径と同一の曲率半径を有していることにより、線状光源１は突出部５１に面接触状態ないし線接触状態で衝突して衝撃荷重が分散されることになる。その結果、ランプホルダー２０が厚さ１〜１．５ｍｍ程度の極薄の腰の強い硬質板片状の樹脂成形体で形成されているとしても、衝突時の衝撃で線状光源１が折損したり破損したりするという事態は起こりにくい。
【００４０】
また、アーム部４０の内側に挿入されて突出部５１によって受け止められた線状光源１には、アーム部４０の弾性復元作用によって一対の突起５３，５３が弾接した状態になる。ここで、突起部５１から一対の突起５３，５３のそれぞれに至る離間角度が９０度よりも大きい角度に定められているので、それらの突起５３，５３による弾圧作用によって線状光源１が突出部５１に図２の矢印Ｂのように押し付けられる。特に、この実施形態のように一対の突起５３，５３の上記離間角度が１３５度に定められていると、一対の突起５３，５３の頂部輪郭線５４，５４が円弧形状に形成されていることにより、それらの突起５３，５３による弾圧方向（押付け方向）が線状光源１の中心Ｐに向かう方向（矢印Ｃ）になる。したがって、弾圧作用によって線状光源１が突出部５１に押し付けられる方向が同図の矢印Ｂのように突出部５１に大して垂直になる。したがって、線状光源がランプホルダーに確実に保持され、線状光源１がランプホルダー２０から容易に離脱してしまうという事態が起こらなくなる。
【００４１】
さらに、この実施形態において、ランプホルダー２０に保持されている線状光源１の３箇所に突出部５１と一対の突起５３，５３とが接触し、しかも、面接触ないし線接触するのは突出部５１だけであって、一対の突起５３，５３は点接触状態で接触しているだけである。しかも、一対の突起５３，５３のそれぞれと突出部５１との相互間に凹所５７，５７が形成されてことにより、線状光源１とアーム部４０の内周面との間に隙間７０が確保されて、アーム部４０の円弧状の内周面が線状光源１の外周面に面接触ないし線接触することはない。したがって、仮に、線状光源１又は線状光源１を保持しているランプホルダー２０のいずれかがいびつに変形しているとしても、その保持箇所でのびびり音の発生が有効に防止され、液晶モジュール、ひいては液晶モジュールを用いたテレビジョン受像機といった音響映像機器の品位低下を防止することが可能になる。
【００４２】
図３には、真円形状の線状光源１を仮想線で示し、線状光源１を保持していない無負荷状態でのアーム部４０の形状を実線で示してある。同図のように、無負荷状態でのアーム部４０は、それに備わっている一対の突起５３，５３が、線状光源１を保持している負荷状態でのアーム部４０よりもやゝ縮径した自然状態を維持している。これに対し、突出部５１と一対の突起５３，５３とが共働して図２のように線状光源１を保持しているときには、アーム部４０が拡径方向に弾性変形した状態になる。線状光源１の外周直径が上記したように３ｍｍ程度であるときには、自然状態から負荷状態に至る突起５３の変位幅δをたとえば０．１ｍｍ程度に定めることが望ましい。このように変位幅δを０．１ｍｍに定めておくと、線状光源１の円管でなる外郭にそれほど大きな力が加わらないにもかかわらず、ランプホルダー２０により線状光源１を確実に保持させておくことが可能である。
【００４３】
なお、上記した開口幅Ｗは１．６ｍｍ程度、首部６０の幅寸法Ｈは３．５ｍｍ程度にしておくことが可能であり、そのようにしておくと、線状光源１の挿入に必要な力が少なくて済み、そのことが、突出部５１に線状光源１が衝突するときの衝撃荷重を小さく抑えることに役立って、線状光源１の折損や破損をいっそう抑制することが可能になる。
【符号の説明】
【００４４】
１  線状光源
３  光反射部材（板状部材）
２０  ランプホルダー
３０  ベース部
４０  アーム部
４１  開口部
５０  接触部
５１  突出部
５２  突出部の頂部輪郭線
５３  突起
５４  突起の頂部輪郭線
６０  首部
７０  隙間
Ｃ  線状光源に対する突起の押付け方向
Ｈ  首部の幅寸法
Ｗ  開口部の開口幅
【図１】
2011060582.tif 000003
【図２】
2011060582.tif 000004
【図３】
2011060582.tif 000005
【図４】
2011060582.tif 000006
【図５】
2011060582.tif 000007
【図６】
2011060582.tif 000008
【図７】
2011060582.tif 000009
【図８】
2011060582.tif 000010